(57)【要約】      （修正有）【課題】予め接着作業を要しない等により製造コストを小さくすることができ、シート状の状態から容易に容器状に組立てが可能であり、シート状の部材により包むという作業が不必要となる包装体を提供する。【解決手段】包装体５は、包装体本体部１０と蓋部３０とを有し、包装体本体部１０は、底面部１２と正面部１４と背面部１８と左側面部２０と右側面部２２とを有している。正面部１４と背面部１８の両側の辺部は、底面部側から底面部とは反対側にいくに従い外側に曲線状に湾曲して形成されている。【選択図】図２
0003156738.tif 000002
【実用新案登録請求の範囲】
【請求項１】
１枚のシート状のブランクにより形成され、全体にシート状を呈する包装体であって、
包装体本体部と包装体本体部の背面側の端部から連設された蓋部とを有し、
包装体本体部は、
方形状の底面部と、
底面部の正面側の辺部から折れ線を介して連設され、左側面側の第１辺部と右側面側の第２辺部とが底面部側から底面部とは反対側にいくに従い外側に曲線状に湾曲する正面部と、
底面部の背面側の辺部から折れ線を介して連設され、左側面側の第３辺部と右側面側の第４辺部とが底面部側から底面部とは反対側にいくに従い外側に曲線状に湾曲する背面部と、
底面部の左側面側に辺部から折れ線を介して連設され、正面側の辺部が正面部の第１辺部と折れ線を介して連設され、背面側の辺部が背面部の第３辺部と折れ線を介して連設された左側面部と、
底面部の右側面側に辺部から折れ線を介して連設され、正面側の辺部が正面部の第２辺部と折れ線を介して連設され、背面側の辺部が背面部の第４辺部と折れ線を介して連設された右側面部と、
を有し、
蓋部は、背面部における底面部とは反対側に端部から折れ線を介して連設され、
左側面部と右側面部とを底面部に対して立ち上げることにより、正面部と背面部とが底面部に対して立ち上がり、さらに、蓋部が包装体本体部側に回動することを特徴とする包装体。
【請求項２】
包装体を構成するブランクが、一対のライナーと該一対のライナー間に設けられた中芯とを有する両面段ボール材により構成され、中芯における各段の方向が、底面部の正面側の辺部や背面側の辺部と平行な左右方向であり、両面段ボールを構成する一対のライナーにおける各ライナーの目付けが３５〜４５ｇ／ｍ2であり、中芯の目付けが２５〜３５ｇ／ｍ2であることを特徴とする請求項１に記載の包装体。
【請求項３】
両面段ボールを構成する中芯の段の高さが０．４５〜０．６５ｍｍであり、中芯の段のピッチが１．５〜２．７ｍｍであることを特徴とする請求項１又は２に記載の包装体。
【請求項４】
蓋部が、方形状の上面部と、
上面部の背面側の辺部から折れ線を介して連設され、左側面側の第５辺部と右側面側の第６辺部とが上面部側から上面部とは反対側にいくに従い外側に曲線状に湾曲する正面部と、
上面部の正面側の辺部から折れ線を介して連設されるとともに、包装体本体部における背面部の背面側の辺部から折れ線を介して連設され、左側面側の第７辺部と右側面側の第８辺部とが上面部側から上面部とは反対側にいくに従い外側に曲線状に湾曲する背面部と、
上面部の左側面側に辺部から折れ線を介して連設され、背面側の辺部が正面部の第５辺部と折れ線を介して連設され、正面側の辺部が背面部の第７辺部と折れ線を介して連設された左側面部と、
上面部の右側面側に辺部から折れ線を介して連設され、背面側の辺部が正面部の第６辺部と折れ線を介して連設され、正面側の辺部が背面部の第８辺部と折れ線を介して連設された右側面部と、
を有し、
蓋部を包装体本体部に対して回動させて、蓋部が包装体本体部を覆う状態の場合に、蓋部の正面部が蓋部の正面側に位置し、蓋部の背面部が蓋部の背面側に位置することを特徴とする請求項１又は２又は３に記載の包装体。
【請求項５】
蓋部の正面部における上面部とは反対側の端部から突出部が突出して形成され、包装体本体部の正面部の底面部とは反対側の端部から該端部に沿って帯状の先端部が形成され、包装体本体部と先端部の境界付近には該突出部を挿通する切込みが形成されていることを特徴とする請求項４に記載の包装体。
【請求項６】
蓋部において、ミシン目状の切目線が、蓋部の背面部の包装体本体部側の端部から蓋部の正面部の上面部とは反対側の端部まで前後方向に形成され、該切目線は、左右方向において、該切目線の背面側の端部が突出部に接しない位置に形成されていることを特徴とする請求項５に記載の包装体。
【考案の詳細な説明】
【技術分野】
【０００１】
本考案は、包装体に関するものであり、特に、ハンバーガー等の食品を包装する包装体に関するものである。
【背景技術】
【０００２】
従来より、ハンバーガー等の食品を包装するものとしては、特許文献１等に示すように、容器部と容器部の端部から連設された蓋部のそれぞれが糊代部を介して接着して組み立てられた状態となっているものが一般的である。
【０００３】
また、ハンバーガーを包装するものとして、特許文献２や特許文献３に示すように、シート状の部材により包むものが存在する。例えば、特許文献２は、包装する食品の外周に沿って当該食品を包囲することのできる帯状包囲部を一体に有している包装シートを開示しており、特許文献３は、調理用台紙を兼ねた包装紙の上辺部に食品収容袋が一体に形成されている袋付き包装紙を開示している。
【先行技術文献】
【特許文献】
【０００４】
【特許文献１】特開２００７−２１０６６０号公報
【特許文献２】特開２００８−８１１５７号公報
【特許文献３】特開２００６−２７３３７８号公報
【考案の概要】
【考案が解決しようとする課題】
【０００５】
しかし、特許文献１に示されるように、容器部と容器部の端部から連設された蓋部のそれぞれが糊代部を介して接着して組み立てられた状態のものでは、予め接着剤により接着して容器部と蓋部を組み立てておく必要があり、製造コストが掛かるという問題があり、また、組み立てた状態で保管するので、蓋部を容器部に対して開いた状態で積層する場合でも保管スペースが必要になるという問題がある。
【０００６】
一方、特許文献２や特許文献３の場合でも、全体にシート状であるので、保管スペースは小さくできるものの、特許文献２の場合には、帯状包装部を形成する必要があり、また、特許文献３の場合には、食品収容袋を一体に形成する必要があり、製造コストが掛かるという問題がある。特に、特許文献２や特許文献３の場合には、接着作業を必要とする。また、特許文献２や特許文献３の場合には、全体にシート状の状態から被包装物を包むという作業が必要となる。
【０００７】
また、ハンバーガー等の食品等の被包装物を包装する包装体として、シート状の状態から容易に組み立てることができるものが要望されていた。
【０００８】
そこで、本考案が解決しようとする問題点は、ハンバーガー等の食品等の被包装物を包装する包装体であって、予め接着作業を要しない等により製造コストを小さくすることができ、シート状の状態から容易に容器状に組み立てることができ、シート状の部材により包むという作業が不必要となる包装体を提供することである。
【課題を解決するための手段】
【０００９】
本考案は上記問題点を解決するために創作されたものであって、第１には、１枚のシート状のブランクにより形成され、全体にシート状を呈する包装体であって、包装体本体部と包装体本体部の背面側の端部から連設された蓋部とを有し、包装体本体部は、方形状の底面部と、底面部の正面側の辺部から折れ線を介して連設され、左側面側の第１辺部と右側面側の第２辺部とが底面部側から底面部とは反対側にいくに従い外側に曲線状に湾曲する正面部と、底面部の背面側の辺部から折れ線を介して連設され、左側面側の第３辺部と右側面側の第４辺部とが底面部側から底面部とは反対側にいくに従い外側に曲線状に湾曲する背面部と、底面部の左側面側に辺部から折れ線を介して連設され、正面側の辺部が正面部の第１辺部と折れ線を介して連設され、背面側の辺部が背面部の第３辺部と折れ線を介して連設された左側面部と、底面部の右側面側に辺部から折れ線を介して連設され、正面側の辺部が正面部の第２辺部と折れ線を介して連設され、背面側の辺部が背面部の第４辺部と折れ線を介して連設された右側面部と、を有し、蓋部は、背面部における底面部とは反対側に端部から折れ線を介して連設され、左側面部と右側面部とを底面部に対して立ち上げることにより、正面部と背面部とが底面部に対して立ち上がり、さらに、蓋部が包装体本体部側に回動することを特徴とする。
【００１０】
この第１の構成の包装体においては、シート状の状態の包装体の底面部の上に被包装物を載置し、包装体本体部の左側面部と右側面部とを底面部に対して立ち上げると、左側面部は第１辺部と第３辺部とを介して正面部と背面部に連設され、右側面部は第２辺部と第４辺部とを介して正面部と背面部に連設されているので、正面部と背面部が立ち上がってくる。
【００１１】
第１辺部と第２辺部と第３辺部と第４辺部とが底面部側から底面部とは反対側にいくに従い外側に曲線状に湾曲しているので、正面部と背面部とが円滑に立ち上がる。
【００１２】
また、背面部が立ち上がると、それに伴い、蓋部も水平方向から包装体本体部の側に回動して立ち上がってくるので、立ち上がってきた蓋部を包装体本体部に対して回動させて覆うようにする。その場合に、第１辺部と第２辺部と第３辺部と第４辺部とが底面部側から底面部とは反対側にいくに従い外側に曲線状に湾曲しているので、正面部と背面部とが立ち上がった状態では、下側から上側にいくに従い、底面部に対する傾斜が大きくなり、よって、背面部の上端部分が底面部に対して大きな角度となるので、それに伴い、蓋部は底面部に対して大きな角度で立ち上がることになり、自然に蓋部が包装体本体部側に回動して、包装体本体部をカバーする。
【００１３】
以上のように、包装体によれば、接着剤を使用せず接着作業を必要としないため製造コストを小さくすることができ、また、包装体は上記のように構成されていて、特に、第１辺部と第２辺部と第３辺部と第４辺部とが底面部側から底面部とは反対側にいくに従い外側に曲線状に湾曲しているので、シート状の状態から容易に容器状に組立てが容易となり、シート状の部材により包むという作業が不必要となる。
【００１４】
また、第２には、上記第１の構成において、包装体を構成するブランクが、一対のライナーと該一対のライナー間に設けられた中芯とを有する両面段ボール材により構成され、中芯における各段の方向が、底面部の正面側の辺部や背面側の辺部と平行な左右方向であり、両面段ボールを構成する一対のライナーにおける各ライナーの目付けが３５〜４５ｇ／ｍ2であり、中芯の目付けが２５〜３５ｇ／ｍ2であることを特徴とする。よって、左側面部と右側面部の立ち上げに伴う正面部と背面部の立ち上がりや、また、蓋部の包装体本体部に対する回動が円滑に行われる。
【００１５】
また、第３には、上記第１又は第２の構成において、両面段ボールを構成する中芯の段の高さが０．４５〜０．６５ｍｍであり、中芯の段のピッチが１．５〜２．７ｍｍであることを特徴とする。よって、左側面部と右側面部の立ち上げに伴う正面部と背面部の立ち上がりや、また、蓋部の包装体本体部に対する回動が円滑に行われる。
【００１６】
また、第４には、前記第１から第３までのいずれかの構成において、蓋部が、方形状の上面部と、上面部の背面側の辺部から折れ線を介して連設され、左側面側の第５辺部と右側面側の第６辺部とが上面部側から上面部とは反対側にいくに従い外側に曲線状に湾曲する正面部と、上面部の正面側の辺部から折れ線を介して連設されるとともに、包装体本体部における背面部の背面側の辺部から折れ線を介して連設され、左側面側の第７辺部と右側面側の第８辺部とが上面部側から上面部とは反対側にいくに従い外側に曲線状に湾曲する背面部と、上面部の左側面側に辺部から折れ線を介して連設され、背面側の辺部が正面部の第５辺部と折れ線を介して連設され、正面側の辺部が背面部の第７辺部と折れ線を介して連設された左側面部と、上面部の右側面側に辺部から折れ線を介して連設され、背面側の辺部が正面部の第６辺部と折れ線を介して連設され、正面側の辺部が背面部の第８辺部と折れ線を介して連設された右側面部と、を有し、蓋部を包装体本体部に対して回動させて、蓋部が包装体本体部を覆う状態の場合に、蓋部の正面部が蓋部の正面側に位置し、蓋部の背面部が蓋部の背面側に位置することを特徴とする。
【００１７】
また、第５には、上記第４の構成において、蓋部の正面部における上面部とは反対側の端部から突出部が突出して形成され、包装体本体部の正面部の底面部とは反対側の端部から該端部に沿って帯状の先端部が形成され、包装体本体部と先端部の境界付近には該突出部を挿通する切込みが形成されていることを特徴とする。
【００１８】
また、第６には、上記第５の構成において、蓋部において、ミシン目状の切目線が、蓋部の背面部の包装体本体部側の端部から蓋部の正面部の上面部とは反対側の端部まで前後方向に形成され、該切目線は、左右方向において、該切目線の背面側の端部が突出部に接しない位置に形成されていることを特徴とする。よって、切目線に沿って蓋部を破断して取り除くことにより、蓋部を開けることなく被収納物を取り出すことが可能となる。
【考案の効果】
【００１９】
本考案に基づく包装体によれば、接着剤を使用せず接着作業を必要としないため製造コストを小さくすることができ、また、包装体は上記のように構成されていて、特に、第１辺部と第２辺部と第３辺部と第４辺部とが底面部側から底面部とは反対側にいくに従い外側に曲線状に湾曲しているので、シート状の状態から容易に容器状に組立てが容易となり、シート状の部材により包むという作業が不必要となる。
【図面の簡単な説明】
【００２０】
【図１】包装体の平面図である。
【図２】包装体の使用状態を示す斜視図であり、被包装物を載置した状態を示す斜視図である。
【図３】包装体の使用状態を示す斜視図であり、包装体本体部の左側面部と右側面部を立ち上げた状態を示す斜視図である。
【図４】包装体の使用状態を示す斜視図であり、包装体を組み立てた状態を示す前方斜視図である。
【図５】包装体の使用状態を示す斜視図であり、包装体を組み立てた状態を示す後方斜視図である。
【図６】包装体の使用状態を示す斜視図であり、蓋部の一部を破断した状態を示す斜視図である。
【図７】図６の状態から右側面部を倒した状態を示す斜視図である。
【考案を実施するための形態】
【００２１】
本考案においては、ハンバーガー等の食品等の被包装物を包装する包装体であって、予め接着作業を要しない等により製造コストを小さくすることができ、シート状の状態から容易に組立てが可能であり、シート状の部材により包むという作業が不必要となる包装体を提供するという目的を以下のようにして実現した。
【００２２】
本考案に基づく包装体（包装容器としてもよい。他においても同じ）５は、図１に示すように構成され、包装体本体部（容器本体部としてもよい。他においても同じ）１０と、蓋部３０とを有していて、全体にシート状を呈している。つまり、包装体５は、１枚のシート状のブランク（具体的には、段ボール）により形成されている。なお、段ボールの中芯における各段の方向は、図１に示すように、左右方向（Ｘ１−Ｘ２方向）（横方向としてもよい）であり、特に、包装体本体部１０における正面部１４、背面部１８や、蓋部３０における正面部３４や背面部３８においては、中芯の段は、左右方向に形成されている。
【００２３】
また、包装体５を構成する段ボールは、両面段ボールであり、一対の平板状のライナーと、該一対のライナー間に設けられた断面略波形の中芯により形成されるが、一対のライナーにおける各ライナーの目付けは、３５〜４５ｇ／ｍ2（好適には、４０ｇ／ｍ2）であり、中芯の目付けは、２５〜３５ｇ／ｍ2（好適には、３０ｇ／ｍ2）となっている。また、中芯の段の高さは、０．４５〜０．６５ｍｍであり、中芯の段のピッチは、１．５ｍｍ〜２．７ｍｍとなっている。
【００２４】
包装体本体部１０は、全体に略８角形のシート状を呈し、底面部１２と、正面部１４と、先端部１６と、背面部１８と、左側面部２０と、右側面部２２とを有している。
【００２５】
ここで、底面部１２は、方形状を呈し、具体的には左右方向に横長の長方形状を呈している。底面部１２の辺部に沿って形成された折れ線Ｓ１と折れ線Ｓ３とは互いに平行であり、折れ線Ｓ４と折れ線Ｓ９とは互いに平行となっている。また、折れ線Ｓ１、Ｓ３と折れ線Ｓ４、Ｓ９とは互いに直角となっている。
【００２６】
また、正面部１４は、底面部１２の正面側の辺部から折れ線Ｓ１を介して連設され、略台形形状を呈している。すなわち、正面部１４は、底面部１２側から先端部１６側に向けて徐々に左右方向の幅が広くなるように構成され、特に、正面部１４の両側の辺部（つまり、折れ線Ｓ５に沿った辺部（第１辺部）及び折れ線Ｓ１０に沿った辺部（第２辺部））は、底面部１２側から先端部１６側に行くに従い、外側に向けて湾曲する曲線（具体的には、略円弧状）を呈している。つまり、正面部１４の両側の辺部は、底面部１２側から底面部１２とは反対側にいくに従い外側に曲線状に湾曲している。
【００２７】
また、先端部１６は、正面部１４の底面部１２側とは反対側の辺部から折れ線Ｓ２を介して連設され、左右方向に略帯状を呈し、先端の両側にはアールが形成されている。折れ線Ｓ２と折れ線Ｓ１とは互いに平行となっている。なお、正面部１４と先端部１６の間の位置には、切込みＫ１が形成され、該切込みＫ１は、略コ字状を呈し、折れ線Ｓ２と平行で折れ線よりもやや先端側に形成された左右方向部Ｋ１ａと、左右方向部Ｋ１ａの両側の端部から正面部１４側に形成された直角部Ｋ１ｂ、Ｋ１ｃとから構成されている。なお、折れ線Ｓ３と蓋部３０との間の折れ線Ｓ１４とは互いに平行となっている。
【００２８】
また、背面部１８は、底面部１２の背面側の辺部から折れ線Ｓ３を介して連設され、正面部１４とは略線対称に形成されている。すなわち、背面部１８は、略台形形状を呈し、底面部１２側から蓋部３０の背面部３８側に向けて徐々に左右方向の幅が広くなるように構成され、特に、背面部１８の両側の辺部（つまり、折れ線Ｓ６に沿った辺部（第３辺部）及び折れ線Ｓ１１に沿った辺部（第４辺部））は、底面部１２側から蓋部３０の背面部３８側に行くに従い、外側に向けて湾曲する曲線（具体的には、略円弧状）を呈している。つまり、背面部１８の両側の辺部は、底面部１２側から底面部１２とは反対側にいくに従い外側に曲線状に湾曲している。
【００２９】
また、左側面部２０は、底面部１２の左側面側の辺部から折れ線Ｓ４を介し、また、正面部１４の左側面側の辺部から折れ線Ｓ５を介し、さらには、背面部１８の左側面側の辺部から折れ線Ｓ６を介して連設され、左側面本体部２０ａと、左側面前部２０ｂと、左側面後ろ部２０ｃとを有している。なお、折れ線Ｓ４の両側に折れ線Ｓ５と折れ線Ｓ６がつながっていて、折れ線Ｓ４と折れ線Ｓ５と折れ線Ｓ６とは、１本の折れ線により形成されている。
【００３０】
つまり、左側面本体部２０ａは、底面部１２の左側面側の辺部から折れ線Ｓ４を介して連設され、略方形状を呈し、底面部１２と反対側の辺部には半円状の切欠部２０ａ−１が形成されている。
【００３１】
また、左側面前部２０ｂは、正面部１４の左側面側の辺部から折れ線Ｓ５を介して連設されるとともに、左側面本体部２０ａの正面側の辺部から折れ線Ｓ７を介して連設され、全体に略扇状を呈している。つまり、左側面前部２０ｂは、折れ線Ｓ５に沿った円弧状の辺部と、折れ線Ｓ７に沿った直線状の辺部と、折れ線Ｓ７に沿った直線状の辺部に対して鋭角をなす辺部により囲まれた構成となっている。なお、折れ線Ｓ７は折れ線Ｓ１とつながっていて、折れ線Ｓ１と同一の直線状にある。
【００３２】
また、左側面後ろ部２０ｃは、背面部１８の左側面側の辺部から折れ線Ｓ６を介して連設されるとともに、左側面本体部２０ａの背面側の辺部から折れ線Ｓ８を介して連設され、全体に略扇状を呈している。つまり、左側面後ろ部２０ｃは、折れ線Ｓ６に沿った円弧状の辺部と、折れ線Ｓ８に沿った直線状の辺部と、折れ線Ｓ８に沿った直線状の辺部に対して鋭角をなす辺部により囲まれた構成となっている。なお、折れ線Ｓ８は折れ線Ｓ３とつながっていて、折れ線Ｓ３と同一の直線状にある。左側面後ろ部２０ｃは、左側面前部２０ｂに対して線対称に形成されている。
【００３３】
また、右側面部２２は、底面部１２の右側面側の辺部から折れ線Ｓ９を介し、また、正面部１４の右側面側の辺部から折れ線Ｓ１０を介し、さらには、背面部１８の右側面側の辺部から折れ線Ｓ１１を介して連設され、右側面本体部２２ａと、右側面前部２２ｂと、右側面後ろ部２２ｃとを有している。右側面部２２は、左側面部２０と線対称に形成されている。なお、折れ線Ｓ９の両側に折れ線Ｓ１０と折れ線Ｓ１１がつながっていて、折れ線Ｓ９と折れ線Ｓ１０と折れ線Ｓ１１とは、１本の折れ線により形成されている。
【００３４】
つまり、右側面本体部２２ａは、底面部１２の右側面側の辺部から折れ線Ｓ９を介して連設され、略方形状を呈し、底面部１２と反対側の辺部には半円状の切欠部２２ａ−１が形成されている。
【００３５】
また、右側面前部２２ｂは、正面部１４の右側面側の辺部から折れ線Ｓ１０を介して連設されるとともに、右側面本体部２２ａの正面側の辺部から折れ線Ｓ１２を介して連設され、全体に略扇状を呈している。つまり、右側面前部２２ｂは、折れ線Ｓ１０に沿った円弧状の辺部と、折れ線Ｓ１２に沿った直線状の辺部と、折れ線Ｓ１２に沿った直線状の辺部に対して鋭角をなす辺部により囲まれた構成となっている。なお、折れ線Ｓ１２は折れ線Ｓ１とつながっていて、折れ線Ｓ１と同一の直線状にある。
【００３６】
また、右側面後ろ部２２ｃは、背面部１８の右側面側の辺部から折れ線Ｓ１１を介して連設されるとともに、右側面本体部２２ａの背面側の辺部から折れ線Ｓ１３を介して連設され、全体に略扇状を呈している。つまり、右側面後ろ部２２ｃは、折れ線Ｓ１１に沿った円弧状の辺部と、折れ線Ｓ１３に沿った直線状の辺部と、折れ線Ｓ１３に沿った直線状の辺部に対して鋭角をなす辺部により囲まれた構成となっている。なお、折れ線Ｓ１３は折れ線Ｓ３とつながっていて、折れ線Ｓ３と同一の直線状にある。右側面後ろ部２２ｃは、右側面前部２２ｂに対して線対称に形成されている。
【００３７】
なお、左側面本体部２０ａの左右方向の幅（折れ線Ｓ７や折れ線Ｓ８の長さ）と、右側面本体部２２ａの左右方向の幅（折れ線Ｓ１２や折れ線Ｓ１３の長さ）は、正面部１４の前後方向（Ｙ１−Ｙ２方向）の幅（折れ線Ｓ１と折れ線Ｓ２間の長さ）や背面部１８の前後方向の幅（折れ線Ｓ３と折れ線Ｓ１４間の長さ）よりも長く形成されている。
【００３８】
次に、蓋部３０は、全体に略方形状（略正方形状）のシート状を呈し、上面部３２と、正面部３４と、突出部３６と、背面部３８と、左側面部４０と、右側面部４２とを有している。
【００３９】
ここで、上面部３２は、方形状を呈し、具体的には左右方向に横長の長方形状を呈していて、底面部１２と略同大同形状となっている。上面部３２の辺部に沿って形成された折れ線Ｓ２１と折れ線Ｓ２３とは互いに平行であり、折れ線Ｓ２４と折れ線Ｓ３０とは互いに平行となっている。また、折れ線Ｓ２１、Ｓ２３と折れ線Ｓ２４、Ｓ３０とは互いに直角となっている。
【００４０】
また、正面部３４は、上面部３２の背面側（組立て状態では、正面側）の辺部から折れ線Ｓ２１を介して連設され、略台形形状を呈している。すなわち、正面部３４は、上面部３２側から突出部３６側に向けて徐々に左右方向の幅が広くなるように構成され、特に、正面部３４の両側の辺部（つまり、折れ線Ｓ２５に沿った辺部（第５辺部）及び折れ線Ｓ３１に沿った辺部（第６辺部））は、上面部３２側から突出部３６側に行くに従い、外側に向けて湾曲する曲線（具体的には、略円弧状）を呈している。この正面部３４は、包装体５の展開状態において、背面部１８と同大同形状となっている。この正面部３４は、包装体５の組立て状態では、蓋部３０の正面側を構成する。
【００４１】
また、突出部３６は、正面部３４の上面部３２側とは反対側の辺部から折れ線Ｓ２２を介して連設され、先端にいくほど幅狭となる略台形形状となっている。この突出部３６は、包装体５の組立て状態において、切込みＫ１に差込み可能な大きさに形成されている。折れ線Ｓ２１と折れ線Ｓ２２とは互いに平行となっている。
【００４２】
また、背面部３８は、上面部３２の正面側（組立て状態では、背面側）の辺部から折れ線Ｓ２３を介して連設されるとともに、包装体本体部１０の背面部１８の背面側の辺部から折れ線Ｓ１４を介して連設され、正面部３４とは略線対称に形成されている。すなわち、背面部２８は、略台形形状を呈し、上面部３２側から包装体本体部１０の背面部１８側に向けて徐々に左右方向の幅が広くなるように構成され、特に、背面部３８の両側の辺部（つまり、折れ線Ｓ２６に沿った辺部（第７辺部）及び折れ線Ｓ３２に沿った辺部（第８辺部））は、上面部３２側から包装体本体部１０のの背面部１８側に行くに従い、外側に向けて湾曲する曲線（具体的には、略円弧状）を呈している。この背面部３８は、包装体５の組立て状態では、蓋部３０の背面側を構成する。
【００４３】
また、左側面部４０は、上面部３２の左側面側の辺部から折れ線Ｓ２４を介し、また、正面部３４の左側面側の辺部から折れ線Ｓ２５を介し、さらには、背面部３８の左側面側の辺部から折れ線Ｓ２６を介して連設され、左側面本体部４０ａと、左側面前部４０ｂと、左側面後ろ部４０ｃとを有している。なお、折れ線Ｓ２４の両側に折れ線Ｓ２５と折れ線Ｓ２６がつながっていて、折れ線Ｓ２４と折れ線Ｓ２５と折れ線Ｓ２６とは、１本の折れ線により形成されている。
【００４４】
つまり、左側面本体部４０ａは、上面部３２の左側面側の辺部から折れ線Ｓ２４を介して連設され、略方形状を呈し、前後方向に細長の略長方形状を呈している。左側面本体部４０ａの上面部３２とは反対側の辺部ｈ１は、外側に膨出した緩やかな円弧状となっている。なお、左側面本体部４０ａには、この左側面本体部４０ａの折れ線Ｓ２７と折れ線Ｓ２４とが接する角部と該角部と対角の角部間を結ぶ折れ線Ｓ２９が形成されている。
【００４５】
また、左側面前部４０ｂは、正面部３４の左側面側の辺部から折れ線Ｓ２５を介して連設されるとともに、左側面本体部４０ａの背面側（組立て状態では、正面側）の辺部から折れ線Ｓ２７を介して連設され、全体に略扇状を呈している。つまり、左側面前部４０ｂは、折れ線Ｓ２５に沿った円弧状の辺部と、折れ線Ｓ２７に沿った直線状の辺部と、辺部ｈ１から伸びた辺部により囲まれた構成となっている。なお、折れ線Ｓ２７は折れ線Ｓ２１とつながっていて、折れ線Ｓ２１と同一の直線状にある。また、折れ線Ｓ２７に沿ってミシン目状に切込みが形成されている。
【００４６】
また、左側面後ろ部４０ｃは、背面部３８の左側面側の辺部から折れ線Ｓ２６を介して連設されるとともに、左側面本体部４０ａの正面側（組立て状態では、背面側）の辺部から折れ線Ｓ２８を介して連設され、全体に略扇状を呈している。つまり、左側面後ろ部４０ｃは、折れ線Ｓ２６に沿った円弧状の辺部と、折れ線Ｓ２８に沿った直線状の辺部と、辺部ｈ１から伸びた辺部により囲まれた構成となっている。なお、折れ線Ｓ２８は折れ線Ｓ２３とつながっていて、折れ線Ｓ２３と同一の直線状にある。また、折れ線Ｓ２８に沿ってミシン目状に切込みが形成されている。左側面後ろ部４０ｃは、左側面前部４０ｂに対して線対称に形成されている。
【００４７】
また、右側面部４２は、上面部３２の右側面側の辺部から折れ線Ｓ３０を介し、また、正面部３４の右側面側の辺部から折れ線Ｓ３１を介し、さらには、背面部３８の右側面側の辺部から折れ線Ｓ３２を介して連設され、右側面本体部４２ａと、右側面前部４２ｂと、右側面後ろ部４２ｃとを有している。右側面部４２は、折れ線Ｓ３５を除いて、左側面部４０と線対称に形成されている。なお、折れ線Ｓ３０の両側に折れ線Ｓ３１と折れ線Ｓ３２がつながっていて、折れ線Ｓ３０と折れ線Ｓ３１と折れ線Ｓ３２とは、１本の折れ線により形成されている。
【００４８】
つまり、右側面本体部４２ａは、上面部３２の右側面側の辺部から折れ線Ｓ３０を介して連設され、略方形状を呈し、前後方向に細長の略長方形状を呈している。右側面本体部４２ａの上面部３２とは反対側の辺部ｈ２は、外側に膨出した緩やかな円弧状となっている。なお、右側面本体部４２ａには、この右側面本体部４２ａの折れ線Ｓ３４と折れ線Ｓ３０とが接する角部と該角部と対角の角部間を結ぶ折れ線Ｓ３５が形成されている。
【００４９】
また、右側面前部４２ｂは、正面部３４の右側面側の辺部から折れ線Ｓ３１を介して連設されるとともに、右側面本体部４２ａの背面側（組立て状態では、正面側）の辺部から折れ線Ｓ３３を介して連設され、全体に略扇状を呈している。つまり、右側面前部４２ｂは、折れ線Ｓ３１に沿った円弧状の辺部と、折れ線Ｓ３３に沿った直線状の辺部と、辺部ｈ２から伸びた辺部により囲まれた構成となっている。なお、折れ線Ｓ３３は折れ線Ｓ２１とつながっていて、折れ線Ｓ２１と同一の直線状にある。また、折れ線Ｓ３３に沿ってミシン目状に切込みが形成されている。
【００５０】
また、右側面後ろ部４２ｃは、背面部３８の右側面側の辺部から折れ線Ｓ３２を介して連設されるとともに、右側面本体部４２ａの正面側（組立て状態では、背面側）の辺部から折れ線Ｓ３４を介して連設され、全体に略扇状を呈している。つまり、右側面後ろ部４２ｃは、折れ線Ｓ３２に沿った円弧状の辺部と、折れ線Ｓ３４に沿った直線状の辺部と、辺部ｈ２から伸びた辺部により囲まれた構成となっている。なお、折れ線Ｓ３４は折れ線Ｓ２３とつながっていて、折れ線Ｓ２３と同一の直線状にある。また、折れ線Ｓ３４に沿ってミシン目状に切込みが形成されている。右側面後ろ部４２ｃは、右側面前部４２ｂに対して線対称に形成されている。
【００５１】
また、ミシン目（切目線）Ｋ２が、蓋部３０の背面部３８の正面側（つまり、包装体本体部１０側）の端部から蓋部３０の正面部３４の背面側（つまり、上面部３２とは反対側）の端部まで前後方向に（つまり、折れ線Ｓ２４や折れ線Ｓ３０と平行に）形成され、該ミシン目Ｋ２は、左右方向において、該ミシン目Ｋ２の背面側の端部が突出部３６に接しない位置に形成されている。つまり、ミシン目Ｋ２は、左右方向において、突出部３６の領域以外の領域に形成されている。
【００５２】
なお、上記のように、包装体５は、包装体本体部１０と蓋部３０とから構成されるが、各折れ線には、予め罫線を形成しておくのが好ましい。なお、罫線は、容器状に形成した場合の内側となる面に形成しておくのが好ましい。
【００５３】
次に、包装体５の使用状態について説明する。包装体５を使用するには、図２に示すように、展開状態（つまり、シート状の状態）の包装体５の底面部１２の上に被包装物Ｇを載置する。図２の例では、ハンバーガーの例となっている。
【００５４】
次に、包装体本体部１０の左側面部２０と右側面部２２とを水平方向の底面部１２に対して上方に回動して立ち上げていく。左側面部２０と右側面部２２を立ち上げる作業は、最初は、一方の手で左側面部２０と右側面部２２の一方を立ち上げ、他方の手で左側面部２０と右側面部２２の他方を立ち上げる。なお、左側面部２０と右側面部２２の立ち上げには、半円状の切欠部２０ａ−１、２２ａ−１に指を掛止して行うようにしてもよい。すると、左側面部２０と右側面部２２とが起立するに従い、包装体本体部１０の正面部１４と背面部１８が立ち上がってくる。つまり、左側面部２０と右側面部２２とが起立するに従い、左側面部２０の両側の辺部（折れ線Ｓ５に沿った辺部と折れ線Ｓ６に沿った辺部）と右側面部２２の両側の片部（折れ線Ｓ１０に沿った辺部と折れ線Ｓ１１に沿った辺部）が立ち上がってくるが、折れ線Ｓ５に沿った辺部と折れ線Ｓ１０に沿った辺部は、正面部１４の両側の辺部であることから、正面部１４が立ち上がり、また、折れ線Ｓ６に沿った辺部と折れ線Ｓ１１に沿った辺部は、背面部１８の両側の辺部であることから、背面部１８が立ち上がることになる。
【００５５】
特に、左側面部２０の両側の辺部（折れ線Ｓ５に沿った辺部と折れ線Ｓ６に沿った辺部）と、右側面部２２の両側の辺部（折れ線Ｓ１０に沿った辺部と折れ線Ｓ１１に沿った辺部）は、略円弧状に湾曲していることから、左側面部２０と右側面部２２とを立ち上げるに従い、正面部１４と背面部１８とが円滑に立ち上がる。つまり、折れ線Ｓ５、Ｓ６、Ｓ１０、Ｓ１１の底面部１２に近い側では、水平面に対する角度α（図１参照）が小さいことから、左側面部２０や右側面部２２を立ち上げた力が無理なく正面部１４や背面部１８に伝わり、正面部１４や背面部１８を立ち上げ、その後は、折れ線Ｓ５、Ｓ６、Ｓ１０、Ｓ１１の湾曲に従い、正面部１４や背面部１８を湾曲させて立ち上げることができる。つまり、最初は、正面部１４と背面部１８の下側はゆっくりと立ち上がり、上側に行くに従い速度を増して立ち上がることとなる。
【００５６】
つまり、仮に、折れ線Ｓ５、Ｓ６、Ｓ１０、Ｓ１１が直線状の場合には、水平面に対する角度を小さくすれば円滑に正面部１４と背面部１８を立ち上げることができるが、それでは正面部１４と背面部１８の底面部１２に対する角度が小さくなってしまって、包装体本体部１０の深さを得ることができず、一方、水平面に対する角度を大きくすると、包装体本体部１０の深さを得ることはできるが、左側面部２０や右側面部２２を立ち上げた力が正面部１４や背面部１８に円滑に伝わらず、正面部１４や背面部１８が円滑に立ち上がらないが、本実施例の場合には、そのようなおそれがない。
また、左側面部２０の両側の辺部と、右側面部２２の両側の辺部は、略円弧状に湾曲していることから、正面部１４と背面部１８は、それらの湾曲した辺部に沿って湾曲することとなり、正面部１４と背面部１８とが立ち上がった状態では、下側から上側にいくに従い、底面部１２に対する傾斜が大きくなり、外側に膨出した状態で起立することになる。よって、包装体本体部１０の内側の空間を広く形成することができる。
【００５７】
つまり、仮に、折れ線Ｓ５、Ｓ６、Ｓ１０、Ｓ１１が直線状の場合には、正面部１４と背面部１８とは外側に膨出せずに平面状に起立するので、包装体本体部１０の内側の空間を広く確保することができないが、本実施例の場合には、内部の空間を広く確保することができる。
【００５８】
背面部１８が立ち上がると、それに伴い、蓋部３０も水平方向から包装体本体部１０の側に回動して立ち上がってくるので、立ち上がってきた蓋部３０を包装体本体部１０に対して回動させて覆うようにする。その際、図３に示すように、一方の手で左側面部２０と右側面部２２とを立ち上げた状態として、他方の手で蓋部３０を回動させればよい。
【００５９】
なお、上記のように、左側面部２０の両側の辺部と、右側面部２２の両側の辺部は、略円弧状に湾曲していることから、正面部１４と背面部１８とが立ち上がった状態では、下側から上側にいくに従い、底面部１２に対する傾斜が大きくなり、よって、背面部１８の上端部分が底面部１２に対して大きな角度となるので、それに伴い、蓋部３０は底面部１２に対して大きな角度で立ち上がることになり、自然に蓋部３０が包装体本体部１０側に回動して、包装体本体部１０をカバーすることになる。
【００６０】
つまり、仮に、折れ線Ｓ５、Ｓ６、Ｓ１０、Ｓ１１が直線状の場合には、正面部１４や背面部１８を大きな角度で立ち上がるようにしようとすると、左側面部２０の折れ線Ｓ４に沿った辺部に対する両側の辺部の角度を小さくする必要があるが、そうすると、左側面部２０と右側面部２２の立ち上げに伴い、左側面部２０や右側面部２２を立ち上げた力が正面部１４や背面部１８に円滑に伝わらずに、正面部１４や背面部１８が円滑に立ち上がらず、正面部１４や背面部１８が途中に折れ曲がってしまうおそれがあるが、本実施例の場合には、そのようなおそれがない。
【００６１】
また、特に、包装体５を構成するシート材においては、ライナーの目付けは、３５〜４５ｇ／ｍ2（好適には、４０ｇ／ｍ2）であり、中芯の目付けは、２５〜３５ｇ／ｍ2（好適には、３０ｇ／ｍ2）となっているので、左側面部２０と右側面部２２の立ち上げに伴う正面部１４と背面部１８の立ち上がりや、また、蓋部３０の包装体本体部１０に対する回動が円滑に行われる。つまり、ライナーや中芯の目付けが上記の範囲未満の場合には、シートが過度に柔軟となり、正面部１４と背面部１８の立ち上がりや蓋部３０の回動が円滑に行われにくくなり、ライナーや中芯の目付けが上記の範囲を超える場合にも、シートが過度に固くなり、正面部１４と背面部１８の立ち上がりや蓋部３０の回動が円滑に行われにくくなる。
【００６２】
また、包装体５を構成する段ボールの中芯における各段の方向が、左右方向（つまり、底面部１２の正面側の辺部（折れ線Ｓ１に沿った辺部）や背面側の辺部（折れ線Ｓ３に沿った辺部）と平行な方向）であるので、左側面部２０と右側面部２２の立ち上げに伴う正面部１４と背面部１８の立ち上がりや、また、蓋部３０の包装体本体部１０に対する回動が円滑に行われる。つまり、段の方向が前後方向の場合には、中芯の各段があるために、正面部１４と背面部１８の立ち上がりや蓋部３０の回動に支障となるが、本実施例の場合にはそのようなおそれがない。
【００６３】
また、中芯の段の高さについても、０．４５〜０．６５ｍｍであるので、正面部１４と背面部１８の立ち上がりや蓋部３０の回動が円滑に行われるが、段の高さが上記範囲未満の場合には、シートが過度に薄くなり、正面部１４と背面部１８の立ち上がりや蓋部３０の回動が円滑に行われにくくなり、また、段の高さが上記範囲を超える場合には、シートが過度に厚くなり、正面部１４と背面部１８の立ち上がりや蓋部３０の回動が円滑に行われにくくなる。
【００６４】
また、中芯の段のピッチについても、１．５ｍｍ〜２．７ｍｍであるので、正面部１４と背面部１８の立ち上がりや蓋部３０の回動が円滑に行われるが、段ピッチが上記範囲未満の場合には、シートが過度に固くなり、正面部１４と背面部１８の立ち上がりや蓋部３０の回動が円滑に行われにくくなり、また、段ピッチが上記範囲を超える場合には、シートが過度に柔軟になり、正面部１４と背面部１８の立ち上がりや蓋部３０の回動が円滑に行われにくくなる。
【００６５】
蓋部３０により包装体本体部１０が覆われたら、蓋部３０の突出部３６を包装体本体部１０の切込みＫ１に挿通して、図４、図５に示すように、蓋部３０の閉状態が固定され、包装体５が容器状に組み立てられる。
【００６６】
なお、包装体５を容器状に組み立てた状態では、正面部１４は、底面部１２から正面側に上方に傾斜した状態となり、背面部１８は、底面部１２から背面側に上方に傾斜した状態となり、左側面部２０は、底面部１２と正面部１４と背面部１８の左側面側から立設しし、右側面部２２は、底面部１２と正面部１４と背面部１８の右側面側から立設した状態となる。また、左側面部２０の左側面本体部２０ａは、底面部１２に対して直角となり、左側面前部２０ｂと左側面後ろ部２０ｃは左側面本体部２０ａに対して外側に湾曲する。同様に、包装体５を容器状に組み立てた状態では、右側面部２２の右側面本体部２２ａは、底面部１２に対して直角となり、右側面前部２２ｂと右側面後ろ部２２ｃは右側面本体部２２ａに対して外側に湾曲する。
【００６７】
また、包装体５を容器状に組み立てた状態では、蓋部３０においては、上面部３２は底面部１２に対して略平行となり、正面部３４は、上面部３２から正面側に下方に傾斜した状態となり、背面部３８は、上面部３２から背面側に下方に傾斜した状態となり、左側面部４０は、上面部３２と正面部３４と背面部３８の左側面側から垂下し、右側面部４２は、上面部３２と正面部３４と背面部３８の右側面側から垂下した状態となる。また、左側面部４０の左側面本体部４０ａは、上面部３２に対して直角となり、左側面前部４０ｂと左側面後ろ部４０ｃは左側面本体部４０ａに対して外側に湾曲する。同様に、包装体５を容器状に組み立てた状態では、右側面部４２の右側面本体部４２ａは、上面部３２に対して直角となり、右側面前部４２ｂと右側面後ろ部４２ｃは右側面本体部４２ａに対して外側に湾曲する。
【００６８】
なお、左側面部４０に折れ線Ｓ２９が設けられ、右側面部４２に折れ線Ｓ３５が設けられているので、それらの折れ線を外側から見て山折りとすることにより、蓋部３０の両側と包装体本体部１０の両側との隙間を小さくすることができる。
【００６９】
次に、包装体５に収納された被収納物Ｇを取り出すには、突出部３６を切込みＫ１から外して、包装体本体部１０が開口するように蓋部３０を包装体本体部１０に対して回動させ、図２に示す状態とすることにより、被収納物Ｇを取り出すことができる。この場合には、被収納物Ｇとしてのハンバーガーを手でとって食することになる。
【００７０】
また、蓋部３０が包装体本体部１０に対して閉じた状態（つまり、突出部３６が切込みＫ１に挿通された状態）で、ミシン目Ｋ２を破断して、蓋部３０におけるミシン目よりも右側面側を脱落させることにより、図６に示す状態とすることができ、その後、包装体本体部１０の右側面部２２を倒して底面部１２に対して面一とすることにより、包装体５を容器状としたまま（つまり、蓋部３０を開けることなく）被収納物Ｇを取り出すことができ、例えば、ハンバーガーの場合には、ハンバーガーを入れたままの状態で食することができる。
【００７１】
以上のように、本実施例の包装体５によれば、接着剤を使用せず接着作業を必要としないため製造コストを小さくすることができ、また、包装体５は上記のように構成されていて、特に、左側面部２０の両側の辺部と、右側面部２２の両側の辺部は、略円弧状に湾曲しているので、シート状の状態から容易に容器状に組み立てることができ、シート状の部材により包むという作業が不必要となる。
【符号の説明】
【００７２】
５  包装体
１０  包装体本体部
１２  底面部
１４、３４  正面部
１６  先端部
１８、３８  背面部
２０、４０  左側面部
２２、４２  右側面部
３０  蓋部
３２  上面部
３６  突出部
【図１】
0003156738.tif 000003
【図２】
0003156738.tif 000004
【図３】
0003156738.tif 000005
【図４】
0003156738.tif 000006
【図５】
0003156738.tif 000007
【図６】
0003156738.tif 000008
【図７】
0003156738.tif 000009